(57)【要約】      （修正有）【課題】他人の助けが必要でなく、洗浄処理が簡単であり、脱ぎはき不要な糞便自動クリーニング装置を提供する。【解決手段】完全自動処理器と便器を備え、便器には排泄物収集エリア、大小便の排泄口、温水入力管及び熱風入力管が設けられ、完全自動処理器は、ハウジング、汚物箱、負圧装置、温水装置、熱風装置及び制御装置を備え、完全自動処理器には汚物箱と連通した、大小便及び汚水に対してシールして梱包する梱包装置が更に設けられている。便器は柔軟な織物から製造された自己適応パンツであり、排泄物収集エリアは自己適応パンツの股間に設置され且つ軟質な防水材から製造され、完全自動処理器には自己適応パンツにガスを注入してその排泄物収集エリアが展開して排泄空間を形成するようにすることができる正圧装置が設けられている。【選択図】図１
0003185327.tif 000002
【実用新案登録請求の範囲】
【請求項１】
完全自動処理器と便器を備え、
該便器には前記完全自動処理器と一緒に使用される排泄物収集エリア、大小便の排泄口、温水入力管及び熱風入力管が設けられ、
前記完全自動処理器は、ハウジング、該ハウジング内に設けられた汚物箱、負圧装置、温水装置、熱風装置及び制御装置を備え、該汚物箱は大小便の排出通路を通じて前記便器の大小便の排泄口と接続され、前記制御装置はそれぞれ前記負圧装置、温水装置及び熱風装置と接続され、前記負圧装置、温水装置及び熱風装置はそれぞれ前記汚物箱、前記温水入力管及び前記熱風入力管と接続されている脱ぎはき不要な糞便自動クリーニング装置において、
前記完全自動処理器は、前記汚物箱と接続した大小便及び汚水に対してシールして梱包する梱包装置を更に備え、
前記便器は柔軟な織物から製造された自己適応パンツであり、前記排泄物収集エリアは自己適応パンツの股間に設置され且つ軟質な防水材からなり、前記完全自動処理器には、前記自己適応パンツにガスを注入して、前記自己適応パンツの排泄物収集エリアが展開して排泄空間を形成するようにする正圧装置が更に設けられていることを特徴とする脱ぎはき不要な糞便自動クリーニング装置。
【請求項２】
前記ハウジングは、高・低に設置した後チャンバーと前チャンバーを含み、前記汚物箱、梱包装置及び制御装置は前記後チャンバー内に配置され、前記汚物箱と梱包装置は上下に設置され、前記制御装置は前記汚物箱の側面に設けられ、前記前チャンバー内には左右順次に並んで設置された負圧装置、熱風装置及び温水装置が収容されており、前記汚物箱、熱風装置及び温水装置に対応する排出管路と、熱風出力管及び温水出力管の出口とは、何れも前記ハウジングの同一で隣接する位置から伸び出していることを特徴とする請求項1に記載の脱ぎはき不要な糞便自動クリーニング装置。
【請求項３】
前記汚物箱にはそれぞれ前記大小便の排出通路、負圧装置及び梱包装置が連通するための排出管路、負圧管路及び排出管路が設けられ、該排出管路は汚物箱の底部に設置され、前記排出管路及び負圧管路の出口はずらして設置され、且つ該負圧管路の出口は該排出管路の出口より高いところに位置することを特徴とする請求項1に記載の脱ぎはき不要な糞便自動クリーニング装置。
【請求項４】
前記汚物箱は、その排出管路において前記制御装置と接続されたドレン制御弁が更に設けられていることを特徴とする請求項3に記載の脱ぎはき不要な糞便自動クリーニング装置。
【請求項５】
前記汚物箱内には前記温水装置と連通するための温水管路が設けられており、該温水管路の出口は前記排出管路の上部に位置することを特徴とする請求項3に記載の脱ぎはき不要な糞便自動クリーニング装置。
【請求項６】
前記梱包装置は、梱包袋と該梱包袋を収容するための梱包袋収容箱を備え、該梱包袋収容箱は前記汚物箱の下部に位置し、前記梱包袋には前記汚物箱と接続された袋口が開いており、該袋口には該袋口を密封するための引き締めベルトが設けられていることを特徴とする請求項1に記載の脱ぎはき不要な糞便自動クリーニング装置。
【請求項７】
前記温水装置は上下に設置した水槽及び温水器を備え、水槽の上部には水を注入するための注水口が設けられ、水槽の底部には該水槽を支えるためのサポートバーが設けられていることを特徴とする請求項1に記載の脱ぎはき不要な糞便自動クリーニング装置。
【請求項８】
前記制御装置は、主制御器と、該主制御器の入力ポートと接続されたデータ採集モジュールと、該主制御器出力ポートと接続された駆動出力モジュールとを備えることを特徴とする請求項1に記載の脱ぎはき不要な糞便自動クリーニング装置。
【請求項９】
前記制御装置は、主制御器と接続された、液晶表示モジュールとボタン入力モジュールとを有するヒューマンコンピュータインタラクションユニットを更に備えることを特徴とする請求項8に記載の脱ぎはき不要な糞便自動クリーニング装置。
【請求項１０】
前記ハウジングの底部には、該ハウジングが移動できるように車輪が設けられていることを特徴とする請求項1に記載の脱ぎはき不要な糞便自動クリーニング装置。
【考案の詳細な説明】
【技術分野】
【０００１】
本考案は、個人用と医療用の衛生機器分野に関し、具体的には行動の不便な人に対して設計した脱ぎはき不要な糞便自動クリーンアップ装置に関する。
【背景技術】
【０００２】
近年、市場では、主に行動の不便な人に対して設計し、行動の不便な人の大小便を自動的にクリーンアップする役割を果たす大小便自動処理システムが出現し、一般的には大小便自動処理機及び大小便自動処理機の使用をサポートする便器を備える。該大小便自動処理機には一般的に汚物箱、負圧装置、温水装置、熱風装置及び制御装置が設けられ、該汚物箱は人体から排出する大小便を収容する。該便器には一般的に排泄物収集エリア、大小便の排泄口、温水入力管和熱風入力管が設けられている。該排泄物収集エリアにはまた大小便の排泄口が設けられ、該大小便の排泄口には大小便の排出通路が接続されており、該汚物箱は負圧装置によって大小便の排出通路と接続され、負圧によって大小便を大小便の容器内に吸い込み、温水入力管は温水管を通じて温水装置と接続され、ユーザーの大便部位と小便部位を洗浄し、熱風入力管は熱風管を通じて熱風装置と接続され、ユーザーの大便部位と小便部位を乾燥し、該制御装置は起動/停止スイッチが設置されているヒューマンコンピュータインタラクションインタフェースを更に備え、勿論、具体的に実施するに際して該制御装置に更にリモコンを配置して起動/停止制御を行うことができる。
【０００３】
しかし、従来の大小便自動処理機は、行動の不便な人が大小便を終わった後、クリーニングすることに必要な温水は比較的多く、湿気が徐々に広がり、エネルギー消費量が多く、且つ一般に予定の時間或いは該大小便の容器が一定量の大小便を収容した時、該大小便の容器を処理機から取り外して、トイレに排出し、その後に水できれいに洗浄する。この過程において、看護師の目は大小便を見てしまい、鼻は大小便の匂いを嗅いでしまい、またハンドクリーニングツールで汚物箱を洗わなければならない。
【０００４】
且つ、従来の大小便自動処理機と一緒に使用する便器の共通の特徴は、行動の不便な人が大小便をしようとするとき、必ずユーザーがセルフケア能力を有し或いは看護師が上記各種類の便器を大小便の排泄部位に装着し、排便が終わった後はまた看護師によって取り外さなければならない。他人の助けがなくては、大小便をし及び排便が終わった後に洗浄処理を行う全過程を自動的に且つインテリジェントに行うことができない。特に、従来の便器の作業方式、使用する材料と構造方面の原因によって、長い時間において人体と接触することができなく、機械的な伝動機構によって大小便の排泄部位から除去し或いは看護師が人工的に除去することしかできないので、とても面倒である。
【考案の開示】
【考案が解決しようとする課題】
【０００５】
本考案は、前述の課題に鑑みてなされたもので、考案者は従来の大小便自動処理システムの構造について長年の研究を経て、本考案を提出した。
【０００６】
本考案は、便器が長い時間においてユーザーの身につけることができ、ユーザーが排便する時他人の助けが必要でなく、排便が終わった後の洗浄処理が簡単であり、便器を脱いだりはいたりする必要がなく、使用が簡単で、便利で快適等の利点を有する脱ぎはき不要な糞便自動クリーニング装置を提供することにその目的がある。  
【課題を解決するための手段】
【０００７】
本考案は、前述課題を解決するために以下の構成を採用した。
完全自動処理器と便器を備え、該便器には前記完全自動処理器と一緒に使用される排泄物収集エリア、大小便の排泄口、温水入力管及び熱風入力管が設けられ、前記完全自動処理器は、ハウジング、該ハウジング内に設けられた汚物箱、負圧装置、温水装置、熱風装置及び制御装置を備え、該汚物箱は大小便の排出通路を通じて前記便器の大小便の排泄口と接続され、前記制御装置はそれぞれ前記負圧装置、温水装置及び熱風装置と接続され、前記負圧装置、温水装置及び熱風装置はそれぞれ前記汚物箱、前記温水入力管及び前記熱風入力管と接続されている脱ぎはき不要な糞便自動クリーニング装置において、前記完全自動処理器は、前記汚物箱と接続した大小便及び汚水に対してシールして梱包する梱包装置を更に備え、前記便器は柔軟な織物から製造された自己適応パンツであり、前記排泄物収集エリアは自己適応パンツの股間に設置され且つ軟質な防水材からなり、前記完全自動処理器には、前記自己適応パンツにガスを注入して、前記自己適応パンツの排泄物収集エリアが展開して排泄空間を形成するようにする正圧装置が更に設けられている。
【０００８】
前記ハウジングは、高・低に設置した後チャンバーと前チャンバーを含み、前記汚物箱、梱包装置及び制御装置は前記後チャンバー内に配置され、前記汚物箱と梱包装置は上下に設置され、前記制御装置は前記汚物箱の側面に設けられ、前記前チャンバー内には左右順次に並んで設置された負圧装置、熱風装置及び温水装置が収容されており、前記汚物箱、熱風装置及び温水装置に対応する排出管路と、熱風出力管及び温水出力管の出口とは、何れも前記ハウジングの同一で隣接する位置から伸び出している。
【０００９】
前記汚物箱にはそれぞれ前記大小便の排出通路、負圧装置及び梱包装置が連通するための排出管路、負圧管路及び排出管路が設けられ、該排出管路は汚物箱の底部に設置され、前記排出管路及び負圧管路の出口はずらして設置され、且つ該負圧管路の出口は該排出管路の出口より高いところに位置する。
【００１０】
前記汚物箱は、その排出管路において前記制御装置と接続されたドレン制御弁が更に設けられている。
【００１１】
前記汚物箱内には前記温水装置と連通するための温水管路が設けられており、該温水管路の出口は前記排出管路の上部に位置する。
【００１２】
前記梱包装置は、梱包袋と該梱包袋を収容するための梱包袋収容箱を備え、該梱包袋収容箱は前記汚物箱の下部に位置し、前記梱包袋には前記汚物箱と接続された袋口が開いており、該袋口には該袋口を密封するための引き締めベルトが設けられている。
【００１３】
前記温水装置は上下に設置した水槽及び温水器を備え、水槽の上部には水を注入するための注水口が設けられ、水槽の底部には該水槽を支えるためのサポートバーが設けられている。
【００１４】
前記制御装置は、主制御器と、該主制御器の入力ポートと接続されたデータ採集モジュールと、該主制御器出力ポートと接続された駆動出力モジュールとを備える。
【００１５】
前記制御装置は、主制御器と接続された、液晶表示モジュールとボタン入力モジュールとを有するヒューマンコンピュータインタラクションユニットを更に備える。
【００１６】
前記ハウジングの底部には、該ハウジングが移動できるように車輪が設けられている。
【考案の効果】
【００１７】
上記構造に従って、本考案に係る車椅子型の脱ぎはき不要な糞便自動クリーンアップ装置は、以下の有益な効果を有する。
一、大小便が汚物箱に洗浄した後、梱包装置によって汚物箱の大小便及び汚水をシールし梱包して包装袋に装入し、そうして看護師はただ梱包処理を経た後の汚物をごみ箱に捨てればよく、直接に大小便と接触する必要がなく、看護師が汚物箱をクリーニングする時の作業環境を大幅に改善して、看護作業が便利になった。
【００１８】
二、柔軟な織物を採用して作られた自己適応パンツを便器とし、自己適応パンツに対して適切な設計を行い、これらのパンツ型の便器は、従来の便器が有する各々の機能を有するに加えて、柔らかくて快適で、長い時間においてユーザーの身につけることができ、快適性、身につける過程及び洗濯の時間、方法は普通のパンツと本質的に差がないので、ユーザーが大小便をするとき他の人が助けて便器を脱いだりはいたりする必要がなく、いつでも自分で脱ぎはき不要な糞便自動クリーニング装置を起動して排便し、使用が便利である。
【００１９】
三、自己適応パンツには正圧装置が接続され、該正圧装置は自己適応パンツにガスを注入して、自己適応パンツの排泄物収集エリアが展開されて排泄空間を形成するようにし、更に負圧装置がよりスムーズに汚物を汚物箱に吸い込むようにすることができ、排泄過程におけるユーザーの快適感も強化した。
【図面の簡単な説明】
【００２０】
【図１】本考案に係る完全自動処理器を示した模式的な構造図であり、
【図２】本考案に係る完全自動処理器の内部構造を示した模式的な正面図であり、
【図３】本考案に係る完全自動処理器の内部構造を示した模式的な背面図であり、
【図４】本考案に係る汚物箱を示した模式的な構造図であり、
【図５】本考案に係る梱包装置を示した模式的な構造図であり、
【図６】本考案に係る温水装置の水槽及び温水器を示した模式的な構造図であり、
【図７】本考案に係る正圧装置を示した模式的な構造原理図であり、
【図８】本考案に係る制御装置を示した制御原理図であり、
【図９】本考案に係る大小便の処理において洗浄が必要であるプロセスを示した概略図であり、
【図１０】本考案に係る小便の処理において洗浄が必要でないプロセスを示した概略図であり、
【図１１】本考案に係る自己適応パンツの具体的な実施例を示した模式的な構造図。
【考案を実施するための形態】
【００２１】
以下に、本考案の技術内容を更に解釈するために、具体的な実施例によって本考案を詳しく説明する。
【００２２】
図1乃至図11に示すように、本考案に係る脱ぎはき不要な糞便自動クリーニング装置は、完全自動処理器と自己適応パンツ9を備え、該自己適応パンツ9は柔軟な織物からかり、その中には完全自動処理器と一緒に使用される排泄物収集エリア911、大小便の排泄口、温水入力管及び熱風入力管が設けられ、上記排泄物収集エリア911は自己適応パンツ9の股間に設置され、軟質な防水材からなる。
【００２３】
上記完全自動処理器は、ハウジング、該ハウジング内に設けられた汚物箱1、負圧装置2、温水装置3、熱風装置4、梱包装置5、正圧装置7及び制御装置6を備える。その中で、
上記ハウジングは高低く設置した後チャンバー100と前チャンバー200を含み、汚物箱1、梱包装置5及び制御装置6は後チャンバー100内に設置されている。図3に示すように、後チャンバー100は具体的に左右の2つのチャンバーに分け、汚物箱1と梱包装置5は上下に設置され且つ後チャンバー100の右半チャンバーに設けられており、制御装置6は後チャンバー100の左半チャンバーの上部に設けられている。図2に示すように、前チャンバー200内には右から左に順次に並んで設置された負圧装置2、熱風装置4及び温水装置3が収容されている。汚物箱1に対応する排出管路13の入口131、熱風装置4の熱風出力管の出口421及び温水装置3の温水出力管の出口312は隣接して同一な位置に設けられ、具体的には何れも後チャンバー100の上端の側壁から伸ばしている。上記各装置はハウジング内でちゃんとしてコンパクトに配布されており、完全自動処理器が自由に移動できるようにするため、ハウジングの底部には該ハウジングを移動させる車輪が設けられている。
【００２４】
図4に示すように、上記汚物箱1は箱カバー11と箱本体12を備え、箱本体12には排出管路13が設けられ、その入口131は大小便の排出通路92を経て自己適応パンツ9の大小便の排泄口と接続されて、体から排出した大小便は順次に該大小便の排泄口、大小便の排出通路92及び排出管路13を経て、最後に汚物箱1内に入る。箱本体12には下述する負圧装置2と連通する負圧管路14が設けられ、箱本体12の底部にはまた排出管路15が設けられ、箱本体12における該排出管路15と接続された部分は漏斗構造に形成され、上記排出管路13の出口130は下向きに該漏斗構造とちょうど向かい合って、スムーズに大小便を排泄する役割を果たす。
【００２５】
上記負圧装置2において、真空ポンプは汚物箱1内に設けられた負圧管路14と接続されて、汚物箱1内で負圧を産生する役割を果たし、従って体から排出した大小便は排出管路13から汚物箱1に吸い込み、排出管路13内の大小便が直接に負圧装置2に吸い込まれることを避けるために、上記排出管路13と負圧管路14の出口はずらして設置され、且つ負圧管路14の出口は排出管路13の出口より高いところに位置し、図3に示すように、負圧管路14は箱本体12の下端から垂直に上向きに挿入して設置され、その出口140は上記箱本体12の開口の周辺より僅かに低く、排出管路13は箱本体12の側面から横方向に挿入し垂直下向きに屈曲して上記排出管路15とちょうど向かい合い、排出管路13の出口130と負圧管路14の出口140はずらして設置され、且つ出口140は出口130より高いため、スムーズに大小便を排泄することを確保する役割を果たす。負圧装置2と汚物箱1との間にはまた管路16が接続されており、その作用は負圧装置2に存在する可能性がある水分を排出して、負圧装置2の清潔と正常な動作を確保する。
【００２６】
図5に示すように、上記梱包装置5は梱包袋51と該梱包袋51を収容する梱包袋収容箱52を含み、該梱包袋収容箱52は上記汚物箱1の直下に位置し、梱包袋51には袋口510が設けられ、図3に示すように、上記排出管路15の下端には接続管が接続されており、袋口510は接続管に被せ、オスメスバックル511を採用して該袋口510をしっかりと接続管に被せ、接続管の下端の周辺にはフランジ構造が形成されており、上記オスメスバックル511はフランジ構造の上側に位置し、これによって袋口510と接続管の接続強さを強化した。梱包袋51の袋口510の下端に近いところには、また引き締めベルト512が設けられており、該引き締めベルト512は梱包袋51内に入った大小便及び汚水に対してシールして梱包することができる。なお、排出管路15にはまたドレン制御弁18が設けられ、該ドレン制御弁18は下述の制御装置6と接続されて、該汚物箱1の中の汚物が適時に梱包袋51に排出されるように制御する。
【００２７】
上記温水装置3は温水出力管を通じて自己適応パンツ9における温水入力管と接続し、その中でユーザーの大小便の部位を洗浄する水流を産生することができる。該温水装置3から流れ出した水流はユーザーの大小便の部位を洗浄した後、直接に汚物箱1と自己適応パンツ9との間の大小便の排出通路92を経て、排出管路13から汚物箱1に流れ込む。具体的な温水装置3は上下に設置した水槽31、温水器32及び温水ポンプ33を含み、図6に示すように、水槽31の上部には水を注入するための注水口及び該注水口と一緒に使用される注水カバー310が設けられ、該注水カバー310を開くことで水槽31に水を注入することができ、水槽31の底部には該水槽31を支えるためのいくつかのサポートバー311が設けられ、温水器32は該いくつかのサポートバー311が形成した空間内に置かれ、水槽31の底部から水槽31内の水に対して加熱する役割を果たし、水槽31内にはそれぞれ制御装置6と接続された温度センサー及び液位センサーが設けられて、水槽31内の水温及び液位を検出する役割を果たし、水槽31は温水ポンプ33を通じて自己適応パンツ9と接続され、該温水ポンプ33によって一定の水圧を提供して、体を洗浄する作用を実現する。該汚物箱1も清潔度を持たせることができるように、温水装置3は洗浄転向バルブを更に備え、該洗浄転向バルブは自己適応パンツ9と接続された温水入力管に設置され、該洗浄転向バルブはまた管路を通じて汚物箱1における温水管路17と接続し、該温水管路17の出口170は排出管路13の上部に位置して、洗浄転向バルブの役割によって、汚物箱1に対して効果的に洗浄することができ、従ってその清潔度を向上させ、細菌の増殖を避けることができる。
【００２８】
上記熱風装置4はエアヒーター41及び熱風ポンプ42を備え、該熱風ポンプ42は熱風出力管を通じて自己適応パンツ9における温水入力管と接続され、該熱風ポンプ42の提供した一定の圧力によって、熱風出力管及び温水入力管の内でユーザーの大小便の部位を乾燥する気流を産生することができ、該気流はユーザーの大小便の部位を乾燥した後、該負圧装置2を経て排出される。
【００２９】
図7に示すように、上記正圧装置7は正圧出力管を通じて自己適応パンツ9における相応な管路と接続し、上記自己適応パンツ9にガスを注入することができて、上記自己適応パンツ9の排泄物収集エリアが展開されて排泄空間を形成し、さらに負圧装置2がよりスムーズに汚物を汚物箱1に吸い込むようにし、該正圧装置7の1つの好ましい実施方式として、該正圧装置7はエアポンプ71、エアフィルター72、圧力センサー73、電子制御圧力リリーフバルブ74及び逆止めバルブ75を備え、該エアポンプ71は該エアフィルター72を通じて大気と接続することによって、該空気の清潔度を確保する。該逆止めバルブ75はエアポンプ71と自己適応パンツ9との間の管路に設置されて、自己適応パンツ9中の気圧を保持し、該電子制御圧力リリーフバルブ74と圧力センサー73は何れも自己適応パンツ9に設置され、該電子制御圧力リリーフバルブ74は該制御装置6と接続しそれによって制御され、体排泄物クリーンアップ装置を使用し終わった場合、該電子制御圧力リリーフバルブ74はすぐに自己適応パンツ9中の気圧を解放し、該圧力センサー73は過圧保護の役割を果たす。
【００３０】
上記制御装置6はそれぞれ上記負圧装置2、温水装置3、熱風装置4及び正圧装置7と接続してそれら間の協調動作を制御し、即ち各装置間の動作順番を制御する。具体的には、図8に示すように、制御装置6は主に主制御器61、データ採集モジュール62、駆動出力モジュール63、ヒューマンコンピュータインタラクションユニット64及び電源モジュールを備え、その中で、電源モジュールは全体の制御装置6に対して電源を提供し、データ採集モジュール62は採集したデータを主制御器61に送り、該主制御器61がこれを読むことで、分析し及び制御する役割を果たし、最後に相関な制御命令を駆動出力モジュール63に送り、該駆動出力モジュール63は上記各装置と接続され、具体的には各装置内の弁体及びポンプと順次に接続されて、上記装置の相関な操作を実現する。
【００３１】
上記データ採集モジュール62は温度、水位及び圧力サンプリング回路ユニットに分け、その中で、温度サンプリングは温水装置3の水温のサンプリングと熱風装置4の気流温度のサンプリングを含み、水位サンプリングは温水装置3内の水槽31の水位のサンプリングを含み、圧力サンプリングは負圧装置2の負圧のサンプリングと正圧装置7の正圧のサンプリングを含む。データ採集モジュール62にはまたアラームユニットが接続され、アラームユニットはアラーム信号を発出することでユーザーの相関な操作を修正して、全体マシンの安全性能を強化する。
【００３２】
ヒューマンコンピュータインタラクションユニット64は、主制御モジュール61と接続され、具体的にはボタン入力モジュールと液晶表示モジュールを備え、マシン制御パラメーターの設定と変更、動作モード設定、現在の動作状態の表示及び手動制御ボタンを提供する等の機能を実現し、該ヒューマンコンピュータインタラクションユニット64はタッチスクリーン付きのLCDディスプレイを採用することができ、必要である場合には音声機能モジュールを設置することができ、なお無線リモートコントロールユニットを配置して、全体の糞便自動クリーニング装置を無線的にオープン/オフすることもできる。
【００３３】
上記完全自動処理器の内部には不可避に糞便の匂いがあるので、該匂いを減らし、その空気の新鮮さを向上させるために、本考案において、完全自動処理器にはまた上記制御装置6に接続された空気清浄装置8が設けられており、クリーニング装置内の空気清浄作用を改善するだけではなく、その中の空気に対して除菌する役割も果たす。
【００３４】
このようにして、本考案に係る脱ぎはき不要な糞便自動クリーニング装置は、制御装置6の制御によって整然に周期的に動作し、節約原則に従って、主に以下のような2つのプロセスに分け、即ち大小便の処理に洗浄過程が必要なプロセスと小便の処理に洗浄過程が必要でないプロセスである。大小便の処理に洗浄過程が必要なプロセスは、図9に示すように、先ず稼動し、マシンは全ての機器に対して3秒間セルフテストを行う。ヒューマンコンピュータインタラクションユニット64を操作して、「機器準備」を押すと、正圧装置7の正圧ポンプ及び温水装置3の温水器32をオープンする。「大便開始」を押すと、負圧装置2の真空ポンプをオープンし、排泄物は正圧装置7及び負圧装置2の役割によって、大小便の排出通路92及び排出管路13を経て汚物箱1内に排出される。排泄完了した場合、「大便終了」を押すと、温水装置3の温水ポンプ33をオープンして、体を5秒間洗浄する。もし再び洗浄しる必要があると、相関なスイッチを押し、もし再び洗浄する必要がないと、7秒間待ちした後、システムは自動的に乾燥プロセスへ入る。乾燥プロセスにおいて、熱風装置4の熱風ポンプ42をオープンして、3分間乾燥し、もし再び乾燥しようとすると、「再び乾燥」のボタン押す。乾燥が終了した後,システムは自動的に排泄物回収プロセスを行い、即ちまず負圧装置2の真空ポンプをオフし、再び汚物箱1のドレン制御弁18をオープンして、汚物箱1を洗浄し、排泄物及び汚水が一緒に梱包袋51内に入るようにし、最後にドレン制御弁18をオフする。最後は圧力リリーフプロセスを行い、正圧装置7の圧力リリーフバルブをオープンして、2秒間遅延させた後、圧力リリーフバルブをオフして、排泄プロセスを終了する。小便の処理に洗浄が必要でないプロセスは、図10に示すように、それは大小便の処理に洗浄が必要なプロセスに対して、「小便終了」後に温水ポンプ33の洗浄時間を短縮し、且つ「排泄物回収プロセス」においては洗浄ステップがなくなり、その他のプロセスは同じであるため、ここで詳しく説明しない。
【００３５】
本考案において、ユーザーの排泄が終わった後、看護師はただハウジングを開いて、先ず梱包袋51における引き締めベルト512を引き締め、袋口510を分解した後取り出してごみ箱に捨てればよいし、その過程において直接に大小便を接触する必要がないので、本考案は看護師が汚物箱1をクリーニングする時の作業環境を大幅に改善して、容易に看護動作を実行することができる。且つ熱風で乾燥する時、自己適応パンツ9で産生した湿気は負圧装置2によって汚物箱1に吸い込まれ、これは乾燥時間を短縮し、且つ湿気が人体を通じて除外されることがほぼないので、湿気排出の通道を解決し、省エネルギー化且つ人体の快適性を向上させる役割を果たす。なお、正圧装置7の最後の圧力リリーフはユーザーの身につけて使用するのに快適感を与える役割を果たすので、本考案は脱ぎはき不要で、使用が簡単で、便利また快適等の利点を有する。
【００３６】
図11に示すように、自己適応パンツ9の主体はパンツ本体91であり、パンツ本体91の織物は一般的な普通の織物、例えば綿、ポリエステル、ナイロン、スパンデックス、ライクラ、糸、Modal（モダール）等から作られる。本実施例において、パンツ本体91は紙おむつ構造と類似なフレキシブルタイプパンツであり、その前部分、後部分の両側面にはそれぞれ対応する貼り付け部材が設けられ、前部分と後部分が接着すると三角或いは平角のパンツ本体91を形成する。
【００３７】パンツ本体91の股間において大小便の排泄口に近い部分には防水の軟質面層（例えば、防水ナノ織物、或いは（公序良俗違反につき、不掲載）、或いはシリカゲルフィルム、或いはエマルジョンフィルム）が覆わされて、防水の排泄物収集エリア911を構成し、排泄物収集エリア911の底部には大小便の排泄口が設置され、該大小便の排泄口にはシリカゲルチューブ或いはエマルジョンチューブ等の軟質材料からなる管路コネクタ912が設置されており、管路コネクタ912の柔軟性がよく、快適性が高く、体と接触した時感覚が明らかくないので、体にほぼ影響を与えなく、円形、楕円形、多角形等の形状に形成されることができる。
【００３８】
大小便の排出通路92はシリカゲルチューブ又はエマルジョンチューブ等の軟質材料を採用して製造された粗ホースであり、該粗ホースは長い時間において自己適応パンツ9と接続することができ、柔軟性がよく快適性が高く、人体と接触した時感覚が明らかくないので、人体にほぼ影響を与えなく、大小便の排出通路92の入口には大小便の排泄口の管路コネクタ912と相応する他の一つのクイックコネクタ921が設けられ、管路コネクタ912とクイックコネクタ921とは速く接合することができて、大小便の排泄口が大小便の排出通路92を通じて完全自動処理器100の汚物箱1と接続されるようにする。
【００３９】
パンツ本体91内にはまたガス注入管93、温水入力管（小便スプレーパイプ94と大便スプレーパイプ95を含む）、及び熱風入力管（小便熱風管96と大便熱風管97を含む）が設けられている。ガス注入管93、小便スプレーパイプ94、大便スプレーパイプ95、小便熱風管96及び大便熱風管97はシリカゲルチューブ又はエマルジョンチューブ等の軟質材料を採用して製造された細ホースである。
【００４０】
ガス注入管93の一端はパンツ本体91内に位置し、他端はパンツ本体91のチューブ口からパンツ本体91外に伸ばして管路を通じて正圧装置7の空気出口と接続される。使用する時、ガス注入管93によってパンツ本体91内にガスを注入して、排泄物収集エリア911を展開し落とさせて大小便の排泄空間を形成する。
【００４１】
小便スプレーパイプ94、大便スプレーパイプ95、小便熱風管96及び大便熱風管97の出口はそれぞれパンツ本体91内の相応な位置（大便排泄口に対応する位置或いは小便排泄口に対応する位置）まで伸ばし、小便スプレーパイプ94と大便スプレーパイプ95の入口はそれぞれパンツ本体91のチューブ口からパンツ本体91外に伸ばし、それぞれ管路を通じて温水装置3と接続され、小便熱風管96と大便熱風管97の入口はそれぞれパンツ本体91のチューブ口からパンツ本体91外に伸ばし、それぞれ管路を通じて熱風装置4と接続される。
【００４２】
ガス注入管93、小便スプレーパイプ94及び小便熱風管96はパンツ本体91の前部分に固定して設置され、大便スプレーパイプ95及び大便熱風管97はパンツ本体91の後部分に固定して設置され、パンツ本体91の前部分と後部分に中間層を設置して、ガス注入管93、小便スプレーパイプ94、大便スプレーパイプ95、小便熱風管96及び大便熱風管97をそれぞれ相応な中間層の内に設置することもできる。
【００４３】
留意すべきことは、本考案において採用した各種の管路或いはパイプは何れもシリカゲルチューブ或いはエマルジョンチューブ等の材質から製造されることができ、該各種の管路或いはパイプと自己適応パンツ9との間にはクイックコネクタによって着脱時の利便性を向上させることもできる。
【００４４】
上記実施例と図面は本考案の製品の形態と様式を限定するもとではなく、当業者の上記実施例と図面に対する適切な変化又は修正は、みな本考案の特許請求の範囲に属する。
【符号の説明】
【００４５】
１：汚物箱
２：負圧装置
３：温水装置
４：熱風装置
５：梱包装置
６：制御装置
７：正圧装置
８：空気清浄装置
９：自己適応パンツ
１１：箱カバー
１２：箱本体
１３：排出管路
１３０：出口
１３１：入口
１４：負圧管路
１４０：出口
１５：排出管路
１６：管路
１７：温水管路
１７０：出口
１８：ドレン制御弁
３１：水槽
３１０：注水カバー
３１１：サポートバー
３１２：温水出力管の出口
３２：温水器
３３：温水ポンプ
４１：エアヒーター
４２：熱風ポンプ
４２１：熱風出力管の出口
５１：梱包袋
５１０：袋口
５１１：オスメスバックル
５１２：引き締めベルト
５２：梱包袋収容箱
６１：主制御器
６２：データ採集モジュール
６３：駆動出力モジュール
６４：ヒューマンコンピュータインタラクションユニット
７１：エアポンプ
７２：エアフィルター
７３：圧力センサー
７４：電子制御圧力リリーフバルブ
７５：逆止めバルブ
９１：パンツ本体
９１１：防水の排泄物収集エリア
９１２：管路コネクタ
９２：大小便の排出通路
９２１：クイックコネクタ
９３：ガス注入管
９４：小便スプレーパイプ
９５：大便スプレーパイプ
９６：小便熱風管
９７：大便熱風管
１００：後チャンバー
２００：前チャンバー
１００：完全自動処理器
【図１】
0003185327.tif 000003
【図２】
0003185327.tif 000004
【図３】
0003185327.tif 000005
【図４】
0003185327.tif 000006
【図５】
0003185327.tif 000007
【図６】
0003185327.tif 000008
【図７】
0003185327.tif 000009
【図８】
0003185327.tif 000010
【図９】
0003185327.tif 000011
【図１０】
0003185327.tif 000012
【図１１】
0003185327.tif 000013
【手続補正書】
【提出日】平成25年6月7日(2013.6.7)
【手続補正１】
【補正対象書類名】明細書
【補正対象項目名】００３７
【補正方法】変更
【補正の内容】
【００３７】
パンツ本体91の股間において大小便の排泄口に近い部分には防水の軟質面層〔例えば、防水ナノ織物、或いはシリカゲルフィルム、或いはエマルジョンフィルム〕が覆わされて、防水の排泄物収集エリア911を構成し、排泄物収集エリア911の底部には大小便の排泄口が設置され、該大小便の排泄口にはシリカゲルチューブ或いはエマルジョンチューブ等の軟質材料からなる管路コネクタ912が設置されており、管路コネクタ912の柔軟性がよく、快適性が高く、体と接触した時感覚が明らかくないので、体にほぼ影響を与えなく、円形、楕円形、多角形等の形状に形成されることができる。